(57)【要約】  第一の画像（Ａ１）を秘密画像の対象として記憶する画像メモリ（１１）と、この記憶された第一の画像（Ａ１）と当該画像の輝度を反転変換した第二の画像（Ａ２）とを時間多重化する合成部（１２）と、この時間多重化された画像を表示する画像表示部（１３Ａ）とを備え、前記第一の画像（Ａ１）が表示される時に光を透過する光シャッタ（１６）を前記合成部（１２）に併設する。そして、画像表示部（１３Ａ）の表示特性にかかる情報を取り込む表示特性検出部（１４）と、取り込まれた画像表示部（１３Ａ）の表示特性に基づいて前記第一の画像（Ａ１）を第二の画像（Ａ２）に変換する画像変換部（１５）とを設けることにより、画像表示部（１３Ａ）における表示特性が変更されても、第三者に対する画像表示を有効に遮蔽し得る画像表示装置を提供する。
2008152932.tif 000002
【特許請求の範囲】
【請求項１】
入力される第一の画像を特定のユーザにのみ表示する機能をもつ画像表示装置であって、
前記第一の画像と、前記第一の画像と別の第二の画像とを時間的に多重化する画像合成部と、
前記時間多重化された画像を表示する画像表示部と、
前記画像表示部の表示特性を検出する表示特性検出部と、
前記検出された表示特性に基づいて、前記第一の画像を前記第二の画像に変換する画像変換部と、
前記画像合成部からの信号を受けて、前記画像表示部に前記第一の画像が表示されている際に光を透過する光シャッタとを有することを特徴とする画像表示装置。
【請求項２】
前記請求項１に記載の画像表示装置において、
前記画像変換部は、前記検出された表示特性に基づいて、前記第一の画像と前記第二の画像の各画素の輝度値を加算した際に、前記第一の画像とは相関のない画像として第二の画像を生成する請求項１に記載の画像表示装置。
【請求項３】
前記請求項１に記載の画像表示装置において、
前記画像合成部は、前記第一の画像及び前記第二の画像に第三の画像を時間的に多重化するものであり、
前記光シャッタは、前記画像表示部に前記第一の画像が表示されている際に光を透過し、前記画像表示部に前記第二の画像が表示されている際に光を遮断するものである画像表示装置。
【請求項４】
前記請求項１に記載の画像表示装置において、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換部は、前記表示特性検出部で得られた表示特性に基づいて、前記第二の画像の各信号値Ａ’を、
Ａ’＝（１−Ａ（γ））（１／γ）
により算出することを特徴とした画像表示装置。
【請求項５】
前記請求項１に記載の画像表示装置において、
前記光シャッタは、前記第二の画像が前記画像表示部に表示されているときにはその表示動作に同期して光を遮断するように機能する構成としたことを特徴とする画像表示装置。
【請求項６】
前記請求項１に記載の画像表示装置において、
前記表示特性検出部は、前記画像表示部の表示特性を変更する入力手段を介して、前記画像表示部の表示特性を検出する画像表示装置。
【請求項７】
前記請求項６に記載の画像表示装置において、
前記表示特性検出部は、前記入力手段を介して得た表示特性に対応するガンマ値を画像変換部に送信し、
前記画像変換部は、前記ガンマ値に基づいて第一の画像を第二の画像に変換する画像表示装置。
【請求項８】
前記請求項６に記載の画像表示装置において、
前記表示特性検出部は、前記入力手段を介して得た表示特性に対応する、第１の画像の画素値から第２の画像の画素値に変換する変換テーブルデータを前記画像変換部に送信し、
前記画像変換部は、前記変換テーブルの値に基づいて第一の画像を第二の画像に変換する画像表示装置。
【請求項９】
前記請求項１に記載の画像表示装置において、
前記表示特性検出部は、前記画像表示部に表示されるテスト画像の輝度を輝度センサにより取得して前記画像表示部の表示特性を検出する画像表示装置。
【請求項１０】
前記請求項９に記載の画像表示装置において、
合成された多重化画像を投影する画像投影部を有し、
前記テスト画像は、前記画像投影部のうち、視聴の妨げにならない部分に表示され、
前記輝度センサは、前記テスト画像が表示されるのに同期してテスト画像の輝度を取得する画像表示装置。
【請求項１１】
前記請求項９に記載の画像表示装置において、
合成された多重化画像を投影する画像投影部を有し、
前記テスト画像は、前記画像投影部のうちの一部または全部に表示特性を取得するためのテスト画像として表示され、
光シャッタは、前記テスト画像が表示されるのに同期して光を遮断し、
前記輝度センサは、前記テスト画像が表示されるのに同期してテスト画像の輝度を取得する画像表示装置。
【請求項１２】
前記請求項１０に記載の画像表示装置において、
前記テスト画像は、人間の目に知覚されない短い時間の間に少なくとも２枚表示され、
前記２枚のテスト画像は、それらの輝度を加算したときに、前記表示部が表示可能な最大輝度値と等しい画像表示装置。
【請求項１３】
前記請求項９に記載の画像表示装置において、
視聴者から見えない部分にテスト画像表示部を有し、
前記テスト画像は、前記テスト画像表示部に表示され、
前記輝度センサは、前記テスト画像が表示されるのに同期してテスト画像の輝度を取得する画像表示装置。
【請求項１４】
前記請求項１に記載の画像表示装置において、
前記画像表示部は、前記画像合成部により合成された多重化画像を投影する画像投影部を有し、
前記表示特性検出部は、前記画像投影部に画像を投影するための光源の温度を温度センサにより検出し、その検出した温度に対応する温度−輝度変換テーブルを前記画像変換部に送信し、
前記画像変換部は、前記温度−輝度変換テーブルの値に基づいて前記第２の画像を生成する画像表示装置。
【請求項１５】
前記請求項１に記載の画像表示装置において、
前記画像表示部は液晶パネルであり、
前記表示特性検出部は、前記画像表示部に画像を表示するためのバックライトの温度または前記液晶パネルの温度を温度センサにより検出し、その検出した温度に対応する温度−輝度変換テーブルを前記画像変換部に送信し、
前記画像変換部は、前記温度−輝度変換テーブルの値に基づいて前記第２の画像を生成する画像表示装置。
【請求項１６】
入力される第一の画像を特定のユーザにのみ表示する画像表示方法であって、
前記第一の画像と、前記第一の画像と別の第二の画像とを時間的に多重化する画像合成行程と、
前記時間多重化した画像を表示する画像表示行程と、
前記画像表示部の表示特性を検出する表示特性検出行程と、
前記検出された表示特性に基づいて、前記第一の画像を前記第二の画像に変換する画像変換行程と、
前記画像合成部からの信号を受けて、前記画像表示部に前記第一の画像が表示されている際に光を透過する光シャッタ稼働行程とを有することを特徴とする画像表示装置。
【請求項１７】
前記請求項１６に記載の画像表示方法において、
前記画像変換工程では、前記画像表示部の表示特性に基づいて成される前記第二の画像の生成に際しては、前記第一の画像に対応する画素の輝度値を相互に加算したときに、その加算結果が全体的に前記第一の画像とは相関のない他の画像になるように、前記第二の画像を生成することを特徴とした画像表示方法。
【請求項１８】
前記請求項１６に記載の画像表示方法において、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換工程では、前記表示特性検出部で得られる前記画像表示部の表示特性に基づいて前記第二の画像の各画素値Ａ’を、
Ａ’＝（１−Ａ（γ））（１−γ）
により算出するようにしたことを特徴とする画像表示方法。
【請求項１９】
前記請求項１６に記載の画像表示方法において、
前記画像合成工程では、前記第一の画像に対して所定の変換を施すことにより得られる第二の画像を前記第一の画像に時間的に多重化するに際し、これに合わせて外部入力される画像である第三の画像を時間的に多重化するように構成したことを特徴とする画像表示方法。
【請求項２０】
前記請求項１６に記載の画像表示方法において、
前記画像変換工程では、前記画像表示部用として外部から入力される表示特性を前記第二の画像生成時に必要とする表示特性として取り込む構成したことを特徴とする画像表示方法。
【請求項２１】
前記請求項１６に記載の画像表示方法において、
前記画像変換工程では、外部入力される前記画像表示部の表示特性を特定するための特性情報を取り込む特性情報取得工程と、この特性情報に対応する変換テーブルデータを予め別に準備され格納されたメモリから抽出し且つ前記第二の画像生成時に必要とする表示特性として取り込む変換テーブルデータ抽出工程とを備えていることを特徴とした画像表示方法。
【請求項２２】
前記請求項１６に記載の画像表示方法において、
前記画像変換工程では、前記画像表示部の表示特性を特定するガンマ値等の特性情報を外部入力する特性情報入力工程と、このガンマ値等の特性情報に対応したガンマテーブル値を予め格納されたメモリから抽出し前記第二の画像生成時に必要とする表示特性として取り込む表示特性取り込み工程とを備えていることを特徴とした画像表示方法。
【請求項２３】
前記請求項１６に記載の画像表示方法において、
前記画像変換工程では、前記画像表示部の一部に表示されるテスト画像から輝度センサを介して各画素の輝度を検出する輝度検出工程と、この検出された輝度に基づいて前記当該画像表示部の表示特性を検出し特定する表示特性特定工程とを含む構成としたことを特徴とする画像表示方法。
【請求項２４】
前記請求項１６に記載の画像表示方法において、
前記画像変換工程では、多重化画像表示用のスクリーンの一部又は全部に投影されるテスト画像の輝度をその投影のタイミングに同期して検出する工程と、この検出された前記テスト画像の輝度に基づいて前記当該画像表示部の表示特性を特定する工程とを含む構成としたことを特徴とする画像表示方法。
【請求項２５】
前記請求項１６に記載の画像表示方法において、
前記画像表示工程では、前記画像合成工程で時間多重化された画像を画像投影部によってスクリーンへ表示する工程を備え、
前記画像変換工程では、前記画像投影部の光源に併設された温度センサからの光源温度情報を取り込む光源温度取込み工程と、この光源温度の変化に対応して予め演算されメモリに記憶された前記検出温度に対応した温度−輝度変換テーブルを前記メモリから抽出しこれに基づいて表示特性を特定する工程とを含むように構成したことを特徴とする画像表示方法。
【請求項２６】
前記請求項１６に記載の画像表示方法において、
前記画像変換工程では、前記画像表示部が液晶パネルで構成されている場合で、前記液晶パネル又は画像表示用のバックライトの内の少なくとも何れか一方の温度を測定するために装備された温度センサからの検出温度を取り込む工程と、この温度センサからの検出温度に対応して予め装備されたメモリに記憶されている温度−輝度変換テーブルを表示特性として抽出する工程とを備えていることを特徴とした画像表示方法。
【請求項２７】
入力される第一の画像を特定のユーザにのみ表示する制御を行う画像表示プログラムであって、
コンピュータに、
前記第一の画像と、前記第一の画像と別の第二の画像とを時間的に多重化する画像合成機能と、
前記時間多重化された画像を表示する画像表示機能と、
前記画像表示部の表示特性を検出する表示特性検出機能と、
前記検出された表示特性に基づいて、前記第一の画像を前記第二の画像に変換する画像変換機能と、
前記画像合成部からの信号を受けて、前記画像表示部に前記第一の画像が表示されている際に光を透過する光シャッタ稼働機能とを実行させることを特徴とする画像表示プログラム。
【請求項２８】
前記請求項２７に記載の画像表示プログラムにおいて、
前記画像変換処理機能では、前記画像表示部の表示特性に基づいて成される前記第二の画像の生成に際しては、前記第二の画像に対応する画素の輝度値を相互に加算したときに、その加算結果が全体的に前記第一の画像とは相関のない他の画像になるように、前記第二の画像を生成することを特徴とした画像表示プログラム。
【請求項２９】
前記請求項２７に記載の画像表示プログラムにおいて、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換処理機能では、前記表示特性検出部で得られる前記画像表示部の表示特性に基づいて前記第二の画像の各画素値Ａ’を、
Ａ’＝（１−Ａ（γ））（１−γ）
により算出するようにしたことを特徴とする画像表示プログラム。
【請求項３０】
前記請求項２７に記載の画像表示プログラムにおいて、
前記画像合成処理機能では、前記第一の画像に対して所定の変換を施すことにより得られる第二の画像を時間的に多重化するに際し、これに合わせて外部入力される画像である第三の画像を時間的に多重化するように構成したことを特徴とする画像表示プログラム。
【請求項３１】
前記請求項２７に記載の画像表示プログラムにおいて、
前記画像変換処理機能では、前記画像表示部用として外部から入力される表示特性を前記第二の画像生成時に必要とする表示特性として取り込むように構成したことを特徴とする画像表示プログラム。
【請求項３２】
前記請求項２７に記載の画像表示プログラムにおいて、
前記画像変換処理機能では、外部入力される前記画像表示部の表示特性を特定するための特性情報を取り込む特性情報取得処理と、この取得された特性情報に対応する変換テーブルデータを予め準備されたメモリから抽出し且つ前記第二の画像生成時に必要とする表示特性として取り込む変換テーブルデータ抽出処理とを含むことを特徴とした画像表示プログラム。
【請求項３３】
前記請求項２７に記載の画像表示プログラムにおいて、
前記画像変換処理機能では、前記画像表示部の表示特性を特定するガンマ値等の特性情報を外部入力する特性情報入力処理と、このガンマ値等の特性情報に対応したガンマテーブル値を予め格納されたメモリから抽出し前記第二の画像生成時に必要とする表示特性として取り込む表示特性取り込み処理とを備えていることを特徴とした画像表示プログラム。
【請求項３４】
前記請求項２７に記載の画像表示プログラムにおいて、
前記画像変換処理機能では、前記画像表示部の一部に表示されるテスト画像から輝度センサを介して各画素の輝度を検出する輝度検出処理と、この検出された輝度に基づいて前記当該画像表示部の表示特性を検出し特定する表示特性特定処理とを含む構成としたことを特徴とする画像表示プログラム。
【請求項３５】
前記請求項２７に記載の画像表示プログラムにおいて、
前記画像変換処理機能では、多重化画像表示用のスクリーンの一部又は全部に投影されるテスト画像の輝度をその投影のタイミングに同期して検出する処理と、この検出された前記テスト画像の輝度に基づいて前記当該画像表示部の表示特性を特定する処理とを含む構成としたことを特徴とする画像表示プログラム。
【請求項３６】
前記請求項２７に記載の画像表示プログラムにおいて、
前記画像表示処理機能では、前記画像合成処理機能で時間多重化された画像を画像投影部を駆動制御してスクリーン表示する処理を備え、
前記画像変換処理機能では、前記画像投影部の光源に併設された温度センサからの光源温度情報を取り込む光源温度取込み処理と、この光源温度の変化に対応して予め演算されメモリに記憶された前記検出温度に対応した温度−輝度変換テーブルを前記メモリから抽出しこれに基づいて表示特性を特定する処理とを含むように構成したことを特徴とする画像表示プログラム。
【請求項３７】
前記請求項２７に記載の画像表示プログラムにおいて、
前記画像変換処理機能では、前記画像表示部が液晶パネルで構成されている場合で、前記液晶パネル又は画像表示用のバックライトの内の少なくとも何れか一方の温度を測定するために装備された温度センサからの検出温度を取り込む処理と、この温度センサからの検出温度に対応して予め装備されたメモリに記憶されている温度−輝度変換テーブルを表示特性として抽出する処理とを備えていることを特徴とした画像表示プログラム。
【発明の詳細な説明】
【技術分野】
【０００１】
本発明は、画像表示装置等に係り、特に、特定の使用者に光シャッタを介してその映像の内容を提示することができる画像表示装置、画像表示方法、及びその表示プログラムに関する。
【背景技術】
【０００２】
液晶ディスプレイやプラズマディスプレイをはじめとするフラットパネルディスプレイは、携帯電話等のモバイル機器から公衆ディスプレイである大型装置にまで、幅広く適用されている。こういったディスプレイの多くは、広視野角、高輝度、高画質といった点に開発の重点が置かれており、どのような角度からでも、きれいに且つ見やすく表示する装置の必要性が要求されている。【０００３】
一方、ディスプレイで表示するコンテンツの中には、秘密情報やプライベートデータなど他人には見られたくないものもある。情報機器の発達に伴うユビキタス化が進展する現在、不特定の人たちがいる公衆下であっても、他の人に表示コンテンツを見られないようにすることが重要な課題となっている。加えて、オフィス内においても、座席の後ろを通る人に見られたくない秘密情報を扱う場合もある。【０００４】
携帯電話などには、光学的な遮蔽板（ルーバー）を設けて、特定の方向からのみ表示内容を見ることができるようなディスプレイが搭載されているものもある。しかし、それでも真後ろからは表示を見ることができることから、機密保持の観点からは十分なものとはいえない。【０００５】
これらの問題を解決する技術として、特許文献１に開示される「画像表示装置」がある。この画像表示装置は、画像選択機能を有する眼鏡を視聴者がつけることによって、眼鏡をかけた人にのみに認識できる画像（以下「秘密画像」とする）を提供し、その他の人には別の画像（以下「公衆画像」とする）を見せるようにしたものである。【０００６】
具体的には、図１６のような画像表示装置において、入力画像信号１１１を１フレ−ム分の画像情報蓄積メモリ１１２にフレ−ム信号１１３で規制されて蓄積し、次にメモリ１２１から画像情報をフレ−ム周期の２倍の速度で２回読み出し、最初に読み出された信号は２分の１に圧縮された第一画像信号１１４として合成回路１１５に入力し、次に読出された画像信号は第一画像信号１１４の彩度及び輝度が変換回路１１６で反転変換された後に第二画像信号１１７として合成回路１１５に入力される。
従って画像表示部１１８には第一画像信号１１４と、第二画像信号１１７とが交互に表示される。【０００７】
一方、フレ−ム信号１１３は眼鏡シャッタ用のシャッタタイミング発生回路１１９により眼鏡シャッタ１２１のシャッタを駆動し、第二画像信号１１７による画像が視聴者に見えないように眼鏡シャッタ１２１が駆動される。
このような構成及び動作によって、眼鏡をかけない人は、第一画像信号１１１と、第二画像信号１１７の合成画像である第一画像信号１１１とは関係のない灰色画像あるいは第三の画像（公衆画像）を見ることとなり、眼鏡をかけた人は第一画像信号１１１による所望の画像（秘密画像）を見ることができる。
【特許文献１】特開昭６３−３１２７８８号公報
【発明の開示】
【発明が解決しようとする課題】
【０００８】
表示装置に送られる画像の信号値をＡ（０≦Ａ≦１）としたとき、現在出回っているディスプレイにおいて表示される輝度Ｉは、一般に、
Ｉ＝Ｌ×Ａ（γ）  ………………………（１）
の関係がある。ここで、Ｌは表示装置が出せる最大輝度である。
このように非線形性な関係になっているのは、ブラウン管の蛍光体の輝度特性が、蛍光体に当てる電子ビームの強度に対して式（１）のような特性を持っていることに由来している。このため、式（１）における記号γは、ＮＴＳＣの規格において、蛍光体の輝度特性に合わせたγ＝２．２という値が定められている。【０００９】
現在出回っているディスプレイは、ブラウン管以外のディスプレイ（液晶ディスプレイ、プラズマディスプレイ等）においても、この規格を満たすために、γ＝２．２で調整されている。即ち、ＮＴＳＣ規格を満たすディスプレイでは、画像の信号値に対して
Ｉ＝Ｌ×Ａ２．２      ………………………（２）
という変換が行われる。そのため、デジタルカメラ等の画像入力機器では、表示装置に画像を表示した場合に式（２）の変換が行われることを見越して、撮影した画像における各画素の輝度値を画像信号に変換する際、予め、
Ａ＝（Ｉ／Ｌ）（１／２．２）  …………………（３）
という変換を行っておく。従って、パソコン等から表示装置に送られる画像信号（画素値）は、式（２）の逆変換が行われたデータということができる。【００１０】
ところで、関連技術である特許文献１に示す画像表示装置においては、めがねを掛けていない人は第一画像信号１１１が見えないようにするため、第二画像信号１１７によって第一画像信号１１１を打ち消すようになっている。このとき、画像表示装置において第一画像信号１１１が打ち消されるためには、輝度次元で第一画像信号１１１と第二画像信号１１７とが打ち消されなければならない。従って、彩度輝度変換回路１１６では、画像表示装置側で、γ＝２．２に基づいた（２）式の変換が行われることを見越して第二画像信号１１７を生成する。【００１１】
しかし、近年では、液晶ディスプレイやプラズマディスプレイなどのブラウン管以外の表示装置が開発され、これらブラウン管以外の表示装置では、ユーザ（視聴者）の好みや、表示したい画像の種類（プレゼンテーション画像、ドキュメント、映画など）に合わせてガンマカーブ（画像表示装置における、画像信号に対する輝度特性）などの表示特性を調整する機能が搭載されているものが多い。【００１２】
仮に、特許文献１に示す画像表示装置において、ユーザにより表示装置側がγ＝２．２以外に設定された場合、彩度輝度変換回路１１６が第二画像信号１１７をγ＝２．２に基づいて生成するため、第一画像信号１１１を打ち消すことができなくなってしまう。【００１３】
このため、上記関連技術にあっては、表示装置の表示特性が変更されると、眼鏡をかけない人でも第一画像信号１１１が見えてしまい、第一画像信号１１１の秘匿性が低下するという問題があった。【００１４】
本発明の目的は、特に表示装置の表示部における表示特性が変更されても、当該変更に対応して前述した第一の画像の第三者に対する画像表示を有効に遮蔽し得る画像表示装置、画像表示方法、及びそのプログラムを提供することにある。
【課題を解決するための手段】
【００１５】
上記目的を達成するため、本発明に係る画像表示装置は、入力される第一の画像を特定のユーザにのみ表示する機能をもつ画像表示装置であって、
前記第一の画像と、前記第一の画像と別の第二の画像とを時間的に多重化する画像合成部と、
前記時間多重化された画像を表示する画像表示部と、
前記画像表示部の表示特性を検出する表示特性検出部と、
前記検出された表示特性に基づいて、前記第一の画像を前記第二の画像に変換する画像変換部と、
前記画像合成部からの信号を受けて、前記画像表示部に前記第一の画像が表示されている際に光を透過する光シャッタとを有することを特徴とする。【００１６】
本発明に係る画像表示方法は、  入力される第一の画像を特定のユーザにのみ表示する画像表示方法であって、
前記第一の画像と、前記第一の画像と別の第二の画像とを時間的に多重化する画像合成行程と、
前記時間多重化した画像を表示する画像表示行程と、
前記画像表示部の表示特性を検出する表示特性検出行程と、
前記検出された表示特性に基づいて、前記第一の画像を前記第二の画像に変換する画像変換行程と、
前記画像合成部からの信号を受けて、前記画像表示部に前記第一の画像が表示されている際に光を透過する光シャッタ稼働行程とを有することを特徴とする。【００１７】
本発明に係る画像表示プログラムは、入力される第一の画像を特定のユーザにのみ表示する制御を行う画像表示プログラムであって、
コンピュータに、
前記第一の画像と、前記第一の画像と別の第二の画像とを時間的に多重化する画像合成機能と、
前記時間多重化された画像を表示する画像表示機能と、
前記画像表示部の表示特性を検出する表示特性検出機能と、
前記検出された表示特性に基づいて、前記第一の画像を前記第二の画像に変換する画像変換機能と、
前記画像合成部からの信号を受けて、前記画像表示部に前記第一の画像が表示されている際に光を透過する光シャッタ稼働機能とを実行させることを特徴とする。
【発明の効果】
【００１８】
本発明によれば、画像表示部が備えているガンマ特性などの表示特性が変更されても当該変更された表示特性を捕捉すると共にこれに基づいて第一の画像に対して所定の変換を施すことにより得られる第二の画像を生成し画像表示部にて時間多重化するようにしたので、画像表示部の表示特性が変更されても、光シャッタを通さずに前記画像表示部を見る人は常に第一の画像を知見できず、第一の画像の秘匿性を維持できる。
【発明を実施するための最良の形態】
【００１９】
以下、本発明の実施形態を図面に従って説明する。【００２０】
〈基本構成〉
図１において、本実施形態にかかる画像表示装置１０は、入力される第一の画像Ａ１を秘密画像の対象として記憶する画像メモリとしてのフレームメモリ１１と、このフレームメモリ（画像メモリ）１１に記憶された前記第一の画像Ａ１に対して所定の変換を施すことにより得られる画像（本実施形態では第一画像の反転画像）である第二の画像Ａ２と前記第一の画像Ａ１とを時間的に多重化する合成部（画像合成部）１２と、この画像合成部１２で時間多重化された画像（多重化画像）を表示する画像表示部１３Ａとを備える。また、光シャッタ１６を備えている。前記光シャッタ１６は、ユーザのみが画像表示部１３Ａの画面を観る際に使用するものであり、画像合成部１２から出力された多重化画像に含まれる第一の画像Ａ１が画像表示部１３Ａに表示されるタイミングで光を透過する構造になっている。
【００２１】
更に、前述した画像表示部１３Ａの表示特性にかかる情報を取り込む表示特性検出部１４を設けると共に、この表示特性検出部１４で取り込まれた前記画像表示部１３Ａの表示特性に基づいて、前記フレームメモリ１１に記憶されている前記第一の画像Ａ１を前述した第二の画像Ａ２に変換する画像変換部１５を設ける。前記画像表示部１３Ａの表示特性には、ガンマ特性などが含まれる。ここで、前述した画像表示部１３Ａと表示特性検出部１４とにより、表示装置本体１３が構成されている。【００２２】
これにより、画像表示部１３Ａが備えているガンマ特性などの表示特性が変更されても当該変更された表示特性を捕捉すると共にこれに基づいて反転画像（第二の画像）Ａ２を生成するようにしたので、画像表示部１３Ａの表示特性が変更されても、光シャッタ１６を通さずに前記画像表示部１３Ａを見る人は第一の画像（秘密画像）Ａ１を見ることができず、第一の画像Ａ１の秘匿性を維持できる。【００２３】
ここで、上述した画像変換部１５は、前述した画像表示部１３Ａの表示特性に基づいて第二の画像Ａ２を生成するに際しては、前記第一の画像Ａ１の輝度値と第二の画像Ａ２の輝度値とを加算したときに、その加算結果が全体的に前記第一の画像Ａ１とは相関のない他の画像になるように、前記第二の画像Ａ２を生成する。【００２４】
前記画像変換部１５が生成する第二の画像Ａ２の輝度については、例えば、前述した第一の画像Ａ１との関係を次のように設定してもよい。
即ち、上述した画像表示装置１０において、画像表示部１３Ａに表示される各画素の輝度が、Ｉ＝Ｌ×Ａ（γ）で表されるとき（ここで、Ｉは画像表示部１３Ａに表示される画像の輝度、Ｌは画像表示部１３Ａが表示可能な最大輝度、Ａは画素の信号値、γは前記画像表示部１３Ａの表示特性にかかるガンマ値とする）、前記画像変換部１５は、前記表示特性検出部１４で得られた表示特性に基づいて、前記第二の画像の各信号値Ａ’を、
Ａ’＝（１−Ａ（γ））（１−γ）
により算出する。【００２５】
又、前述した光シャッタ１６は、上記のようにして生成された第二の画像Ａ２が前記画像表示部１３Ａに表示されているときには、前述した画像合成部１２に制御されて、その表示制御動作に同期して光を遮断する。【００２６】
上述した光シャッタ１６と画像表示部１３Ａとの関係にあっては、当該光シャッタ１６を通したときのみ見える第一の画像Ａ１を秘密画像とし、第一画像信号を打ち消す第二画像信号により形成される画像を反転画像とし、光シャッタを通さずに画像表示部１３Ａを見たときに見える第三の画像を公衆画像と表記する。
この第三の画像については、上述した第一の画像Ａ１と第二の画像（反転画像）Ａ２とを時間多重化された画像の場合は灰色画像となるが、後述するようにこの第一の画像Ａ１と第二の画像Ａ２に加えて他の画像を時間多重化した場合には、当該他の画像がそのまま第三の画像として外部表示（光シャッタを通さない表示）されることとなる。【００２７】
光シャッタ１６は、第一の画像（秘密画像）Ａ１が画像表示部１３Ａに表示されるのに同期してオン（ＯＮ：光を透過）となり、第二の画像（反転画像）Ａ２が画像表示部１３Ａに表示されるのに同期してオフ（ＯＦＦ：光を遮断）となる。光シャッタ１６を通して画像表示部１３Ａを見ると第一の画像（秘密画像）Ａ１を見ることができるが、光シャッタを通さずに画像表示部１３Ａを見ると、第一の画像１Ａが第二の画像（反転画像）Ａ２により打ち消され、第一の画像を閲覧することはできない。【００２８】
表示特性検出部１４は、ユーザの操作あるいは周囲環境などにより、画像表示部１３Ａに表示される画像の表示特性が変わったことを検知すると、画像変換部１５に表示特性が変更されたことが通知する。
この検出及び通知の頻度としては、表示装置の特性や、製造コスト、どれくらいの秘匿性を確保したいか、などの要求条件により変えてもよい。例えばユーザの操作により特性が変えられた場合のみでもよいし、一定時間毎でもよいし、１フレーム毎、或いは数〔ｍｓｅｃ〕毎でもよい。通知の頻度が高ければ高いほど、第一の画像（秘密画像）Ａ１を覗き見される可能性が低くなるという利点がある。【００２９】
この場合、画像表示部１３Ａに表示される画像の表示特性は、表示特性検出部１４に組み込んだ汎用の輝度センサによって検出するようになっている。このようにすると、リアルタイムで周囲環境の変化に対応することができて都合がよい。一方、この表示特性については、表示特性検出部１４が予め装備したメモリに当該画像表示部１３Ａの基本的な表示特性を記憶しておき、通常は当該記憶した表示特性を前述した画像変換部に出力するように構成してもよい。【００３０】
〈全体の動作〉
図２に基づいて説明する。図２において、先ず、画像表示装置１０に外部から入力される第一の画像Ａ１は、秘密画像の対象として画像メモリ１１に記憶される（ステップＳ１０１：第一画像記憶工程）。次に、この画像メモリ１１に記憶された第一の画像Ａ１については、画像表示装置１０の画像表示部１３Ａが備えている画像表示部の表示特性に基づいてその反転画像である第二の画像Ａ２が、画像変換部１５で生成される（ステップＳ１０２：画像変換工程としての第二画像生成工程）。続いて、この生成された反転画像である第二の画像Ａ２は前述した第一の画像Ａ１に対して合成部１２で時間的に多重化され合成される（ステップＳ１０３：画像合成工程）。この合成画像の具体例は後述する。【００３１】
この画像合成工程で時間多重化された画像は、合成部１２から表示装置本体１３内の画像表示部１３Ａに送られ、当該画像表示部１３Ａで画像表示される（ステップＳ１０４：画像表示工程）。光シャッタ１６は、前記第一の画像Ａ１が前記画像表示部１３Ａに表示されるタイミングで画像合成部１２により駆動制御されて光を透過する（Ｓ１０５：光シャッタ稼働工程）。【００３２】
この場合、合成画像は、画像表示部１３Ａ上では、前述した第一の画像Ａ１が第二の画像Ａ２によって打ち消された状態の例えば灰色画像となる。これにより、光シャッタ１６を介して、ユーザは第一の画像（秘密画像）Ａ１をみることができ、光シャッタ１６を有しない第三者は、画像表示部１３Ａを例えば灰色画像が表示されていると認識され、第一の画像Ａ１の秘密状態が維持される。【００３３】
ここで、上述した図２におけるステップＳ１０２の第二画像生成工程（画像変換工程）について詳述する。
この画像変換工程（第二画像生成工程）は、上述したように、第一画像記憶工程と画像合成工程との間にあって、前記第一の画像Ａ１を前記画像表示部１３Ａの表示特性に基づいた第二の画像（反転画像）Ａ２に変換する工程として設けられている。【００３４】
この画像変換工程（第二画像生成工程）では、上記第二の画像Ａ２の生成に際して、例えば前記第一の画像Ａ１に対応する画素の輝度値を相互に加算したときに、その加算結果が全体的に前記第一の画像Ａ１とは相関のない他の画像になるように、前記第二の画像Ａ２を生成することを特徴とする。【００３５】
具体例としては、例えば前述した画像表示装置１０の構成の説明でも開示したように、画像表示部１３Ａに表示される各画素の輝度が、
Ｉ＝Ｌ×Ａ（γ）で表されるとき（ここで、Ｉは画像表示部１３Ａに表示される画像の輝度、Ｌは画像表示部１３Ａが表示可能な最大輝度、Ａは画素の信号値、γは前記画像表示部１３Ａの表示特性にかかるガンマ値とする）、
前記画像変換工程では、前述した表示特性検出部１４で得られる前記画像表示部１３Ａの表示特性に基づいて前記第二の画像の各信号値Ａ’を、
Ａ’＝（１−Ａ（γ））（１／γ）
により算出する。かかる演算は前述した画像変換部１５で実行される。【００３６】
次に、上記画像変換部１５による第二の画像（反転画像）Ａ２の生成動作について詳述する。【００３７】
画像変換部１５は、上記画像変換工程にあっては、表示特性検出部１４で検出された表示特性に基づいて、第一の画像（秘密画像）Ａ１の反転画像である第二の画像Ａ２を生成する。今、画像表示部１３Ａに表示される画像は、例えばガンマ値２．２で表示されているものとする。このとき、画像変換部１５は、表示装置側でガンマ値２．２の下で画像が表示されることを見越して、第一の画像（秘密画像）Ａ１が打ち消されるように、即ち、第一の画像に対して所定の変換を施すことにより得られる反転画像（第二の画像）を生成する。具体的な画素信号値計算方法は以下の通りである。【００３８】
まず、第一の画像（秘密画像）Ａ１を表示するための画像表示部１３Ａのある１画素に着目する。この画素の信号値がＡ（０≦Ａ≦１）であったとすると、画像表示部１３Ａで表示される輝度Ｉは前述した式（２）で表わされる。現在出回っているディスプレイは、ブラウン管以外のディスプレイ（液晶ディスプレイ、プラズマディスプレイ等）においても、この規格を満たすために、γ＝２．２で調整されている。即ち、ＮＴＳＣ規格を満たすディスプレイでは、画像の信号値に対して
Ｉ＝Ｌ×Ａ２．２      ………………………（２）
となる。【００３９】
第二の画像（反転画像）Ａ２の対応する画素の信号値Ａ’は、第一の画像（秘密画像）Ａ１の画素の信号値Ａがどんな値であっても、画素値Ａを表示したときの輝度と信号値Ａ’を表示したときの輝度とを足した輝度が一定になるように設定すればよい。即ち、信号値Ａと信号値Ａ’の輝度の平均値が、表示装置が出せる最大輝度の半分、すなわちＬ／２となるように信号値Ａ’を決めればよい。
従って、Ａ’＝（１−Ａ２．２  ）（１／２．２）  …………（４）
と求められる。【００４０】
ここで、式（４）には画像表示部１３Ａの最大輝度Ｌが入っていない。つまり、画像表示部１３Ａのガンマγの値が判明すれば、第一の画像（秘密画像）Ａ１から反転画像（第二の画像）Ａ２を生成することができるということになる。【００４１】
尚、第二の画像（反転画像）Ａ２の画素の信号値Ａ’の求め方は、式（４）に限定する必要は無く、別の方法もある。第一の画像（秘密画像）Ａ１が反転画像により打ち消され、光シャッタ１６を通さずに画像表示部１３Ａを見た場合に秘密画像Ａ１が見えなければよいのであり、第一の画像（秘密画像）Ａ１と第二の画像（反転画像）Ａ２を合算したときに必ずしもグレーになる必要はなく、足し合わせたときに第一の画像（秘密画像）Ａ１と全く関係の無い画像が表示されるようにしてもよい。【００４２】
ここで、前項で述べた方法は、第二の画像（反転画像）Ａ２により第一の画像（秘密画像）Ａ１を打ち消し、人間の視覚の積分効果によって時間的に全面グレーが知覚されるように表示する方法であったが、この方法では第一の画像Ａ１を表示する周期に対し第二の画像（反転画像）Ａ２を表示する周期が遅い（逆でも同じ）と、目を少し動かすと、例えば第一の画像（秘密画像）Ａ１の輪郭がうっすらと知覚できてしまう場合がある。
しかしながら、本項で述べた方法では、その現象を低減し、第一の画像（秘密画像）Ａ１を見えにくくできるという利点がある。【００４３】
ここで、上述した第一の画像（秘密画像）Ａ１と、画像変換部１５で変換生成される第二の画像（反転画像）Ａ２は、合成部１２においてフレーム毎に時間多重化され、画像表示部１３Ａに送られる。【００４４】
このとき、合成部１２において第一の画像（秘密画像）Ａ１と第二の画像（反転画像）Ａ２が合成される順番は、第一の画像Ａ１と第二の画像Ａ２とを交互に合成するのでもよいし、第一の画像Ａ１を２回連続、第二の画像Ａ２を２回連続としてもよい。つまり、ある短い時間内で秘密画像Ａ１を表示する回数と反転画像Ａ２を表示する回数が同じになっていればよい。この回数が異なると、秘密画像Ａ１，反転画像Ａ２の内のどちらかが強く表示されてしまうため、光シャッタ１６を通さずに画像表示部１３Ａを見る人には、秘密画像Ａ１がうっすらと見えてしまうので注意が必要である。【００４５】
又、同じ回数を画像表示するといっても第一の画像（秘密画像）Ａ１と第二の画像（反転画像）Ａ２のどちらかが連続で何枚も表示されるような場合、フレーム周波数が低いと光シャッタ１６を通さずに画像表示部１３Ａを見る人には、時間的に第一の画像Ａ１と第二の画像Ａ２とが積分されずフリッカとして知覚され、やはり第一の画像Ａ１が見えてしまうので注意が必要である。【００４６】
一般的には、第一の画像（秘密画像）Ａ１と第二の画像（反転画像）Ａ２との表示を１周期とした場合、１周期が６０〔Ｈｚ〕程度での表示であれば、フリッカとしては知覚されず、光シャッタ１６を通さない人には第一の画像Ａ１と第二の画像Ａ２とが時間的に積分されるため第一の画像Ａ１を見ることはできない。
従って、例えば画像を１枚表示する周波数３６０〔Ｈｚ〕の速さで、１周期が、秘密画像→反転画像→反転画像→秘密画像→反転画像→秘密画像の順番で６枚表示すると、１／６０〔秒〕の間に秘密画像Ａ１と反転画像Ａ２とが表示されるので、フリッカは検知されず、且つ、秘密画像Ａ１と反転画像Ａ２とが同じ回数（それぞれ３回）表示されるので秘密画像は反転画像により打ち消され、光シャッタ１６を通さずに画像表示部１３Ａを見ても秘密画像を見ることはできない。【００４７】
光シャッタ１６は、前述したように、画像表示部１３Ａに表示される画像と同期して、秘密画像Ａ１が表示されているときはオン（ＯＮ）、反転画像Ａ２が表示されているときはオフ（ＯＦＦ）となるように制御される。
上記した例では、秘密画像→反転画像→反転画像→秘密画像→反転画像→秘密画像、の表示順に対して、光シャッタ１６は、１／３６０〔秒〕毎に、ＯＮ→ＯＦＦ→ＯＦＦ→ＯＮ→ＯＦＦ→ＯＮ、となるように制御される。これにより、光シャッタ１６を通して表示部を見るときに限り、秘密画像Ａ１を見ることができる。【００４８】
光シャッタ１６を表示画像と同期させるには、合成部１２で秘密画像Ａ１と反転画像Ａ２を合成する順番を決め、それに合わせて同期信号を光シャッタ１６に送信するのでもよいし、合成部１２から画像表示部１３Ａに画像を送信する際、秘密画像Ａ１と反転画像Ａ２のどちらの画像であるかを示すフラグを一緒に送信し、画像表示部１３Ａから光シャッタ１６に同期信号を送信するのでもよい。また、この同期信号を盗聴されてしまうと光シャッタ１６が偽造されてしまうため、同期信号を送信側で予め暗号化しておき、光シャッタ１６側で復号化するように構成してもよい。【００４９】
尚、図１において、フレームメモリ１１，画像変換部１５，合成部１２は、これをパソコンに搭載するビデオカード等により形成するように構成してもよいし、パソコンのメモリ上に画像信号を記憶し、画像変換及び画像合成をソフトウェアで行い、合成された画像をビデオカード等から画像表示部１３Ａに送信する構成としてもよい。【００５０】
更に、図３に示すように、フレームメモリ１１，画像変換部１５，合成部１２を、表示装置本体１３内に設ける構成としてもよい。この場合、秘密画像として表示したい画像をパソコンＰＣ等から表示装置本体１３に送信すると、表示装置本体１３内で反転画像を生成するので、この秘匿表示を実現するための専用のパソコンを用いる必要が無く、任意のパソコンを接続すれば秘匿表示を実現することができるという利点がある。【００５１】
〈第三の画像について〉
図４に示すように、上述した秘密画像（第一の画像）Ａ１と反転画像（第二の画像）Ａ２のほかに、秘密画像（第一の画像）Ａ１とは全く別の第三の画像（公衆画像）を加えた多重化構成とすることもできる。
即ち、前述した第一の画像Ａ１の反転画像である第二の画像Ａ２を時間的に多重化するに際し、これに合わせて外部入力される公衆画像としての第三の画像を時間的に多重化するように構成してもよい。この場合、かかる多重化合成は、前述したステップＳ１０３の画像合成工程で実行される。【００５２】
即ち、この図４の場合は、前述した合成部１２の入力側に、外部から入力される公衆画像としての第三の画像Ａ３を記憶する画像メモリであるフレームメモリ１７を装備し、前述した合成部１２はこれら第一乃至第三の各画像を時間的に多重化し表示用として前記画像表示部１３Ａに出力する機能を有する。同時に、当該画像表示部１３Ａに前記第一の画像Ａ１が表示されている時には、前述した合成部１２に併設された光シャッタ１６が当該合成部１２に制御されて光を透過するように稼働し得る構成とした。【００５３】
換言すると、入力された第三の画像（公衆画像）は第２のメモリ１７に記憶され、合成部では、秘密画像と反転画像と公衆画像を１画面毎に時間的に多重化して画像表示部１３Ａに送信される。
そして、本実施形態では、前述した光シャッタ１６は、前記画像合成部１２に制御されて作動し、前記第二及び第三の画像が前記画像表示部１３Ａに表示されているときにはその表示動作に同期して光を遮断するように機能する構成となっている。即ち、この場合、光シャッタ１６は、画像表示部１３Ａに表示される画像と同期して、秘密画像が表示されているときはオン（ＯＮ）、反転画像と公衆画像が表示されているときはオフ（ＯＦＦ）となるように制御される。その他の構成及びその作用効果については前述した図１の場合と同一となっている。【００５４】
更に、この場合、光シャッタ１６を通して画像表示部１３Ａを見ると秘密画像（第一の画像）Ａ１を見ることができるが、光シャッタ１６を通さずに画像表示部１３Ａを見ると、秘密画像（第一の画像）Ａ１は反転画像Ａ２によって打ち消され、公衆画像（第三の画像）Ａ３のみが知覚される。【００５５】
尚、秘密画像Ａ１が、公衆画像Ａ３に付加的に足される画像（文字など）である場合には、光シャッタ１６を通したときに公衆画像Ａ３が見えても構わないので、公衆画像Ａ３が表示されているときに光シャッタがオン（ＯＮ）となるように制御してもよい。公衆画像Ａ３の表示時に光シャッタをオフ（ＯＦＦ）する場合と比べて、光シャッタ１６を通して見たときの画像の明るさが２倍になるという利点がある。【００５６】
〈画像表示部の表示特性について〉
上記実施形態では、前述した画像変換部１５で秘密画像（第一の画像）Ａ１の反転画像（第二の画像）Ａ２を生成することが、その構成上、重要な地位を占めている。
この場合、反転画像（第二の画像）Ａ２の生成は、本実施形態では、前述したように画像表示部１３Ａの表示特性に基づいて実行されるようになっている。
この画像表示部１３Ａの表示特性については、例えばブラウン管の場合とフラットパネルである液晶パネルとでは、異なった表示特性を有する。【００５７】
このため、如何なる形式の画像表示部１３Ａに対しても反転画像（第二の画像）Ａ２を有効に生成するには、該当する画像表示部１３Ａの表示特性を予め把握しておく必要があり、本実施形態ではそれを可能とした。以下、これを詳述する。【００５８】
ここで、本実施形態では、液晶パネル又はプラズマパネル等のフラットパネルでは、前述した表示特性を外部から自在に可変設定可能な構造となっている。この場合、この画像表示部１３Ａの表示特性を外部から可変設定するに際しては、前述した図２のステップＳ１０２の画像変換工程（第二画像生成工程）で実行される。
また、上述した画像表示部１３Ａの表示特性については、多くは周囲環境の変化で変化する。かかる場合、本実施形態では、後述するように予め装備した輝度センサ又は温度センサによって画像表示部１３Ａの画像表示のタイミングに合わせて表示特性にかかる特性情報を検出し、これに基づいて前述した表示特性検出部１４で当該表示特性を特定するようになっている。【００５９】
〈表示特性の検出（１）〉
まず、本実施形態では、図５に示すように、前述した画像表示部１３Ａに、当該画像表示部１３Ａの表示特性を外部から設定し又は変更する入力手段２４を併設する。同時に、前述した表示特性検出部１４は、前記画像表示部１３Ａに外部から入力される画像表示特性を前記画像変換部用として取り込む機能を備えている。【００６０】
これにより、表示特性検出部１４は、取り込んだ表示特性を反転画像生成用として画像変換部１５へ送り込む。画像変換部１５では、これにより前述した第一画像Ａ１に対する反転画像（第二画像）Ａ２の生成が実行される（ステップＳ１０２：画像変換工程）。ここで、図５のその他の構成は、前述した図１の場合と同様となっている。【００６１】
〈表示特性の検出（２）〉
ここで、前述した表示特性検出部１４は、上記図５において、前記入力手段２４からは表示特性用の特性情報を取得すると共に、これに対応して予め算定された変換テーブルデータを別に装備したメモリ１４ａに格納する。更に、この表示特性検出部１４は、メモリ１４ａに格納した変換テーブルデータを前記画像変換部１５に送信する。この場合、前述した入力手段２４は、画像表示部１３Ａの表示特性を特定するための特性情報を外部から表示部本体１３へ入力するように構成されている。【００６２】
そして、前述した画像変換部１５は、この変換テーブルデータに基づいて前記第２の画像Ａ２を生成するようになっている（ステップＳ１０２：画像変換工程）。図５のその他の構成は、前述した図１の場合と同様となっている。【００６３】
〈表示特性の検出（３）〉
又、前述した表示特性検出部１４は、更に上記図５において、画像表示部１３Ａの表示特性に対応するガンマ値及びその特性データを記憶したメモリ１４ａを予め装備すると共に、前記入力手段２４から前記ガンマ値等が入力された場合には、直ちに当該ガンマ値およびこれに対応するガンマテーブルを前記メモリ１４ａから取り出して前記画像変換部１５へ出力するガンマテーブル出力機能を備えている。【００６４】
この場合、前述した入力手段２４は、前述した画像表示部１３Ａの表示特性を特定するガンマ値等の特性情報を、外部から表示部本体１３に入力するように構成されている。
そして、前述した画像変換部１５は、前記表示特性検出部１４から送り込まれる前記ガンマ値およびこれに対応するガンマテーブルの値を表示特性とし、これに基づいて前記第２の画像Ａ２を生成するようになっている（ステップＳ１０２：画像変換工程）。【００６５】
これを更に詳述する。
本実施形態では、上述した表示特性検出部１４は、表示部本体１３に設けられた押圧ボタン等の入力手段２４を介して、ユーザが画像表示部１３Ａの表示特性を変更し若しくは変更設定した場合を想定する。かかる場合、表示特性検出部１４は、当該入力手段２４からの入力情報から表示特性の変更を検知すると、変更されたガンマの値，色温度の値，或いは差分値を、画像変換部１５に送信する。
この場合、表示特性検出部１４に予め取得したガンマ特性データ（図６参照）を格納したメモリ１４ｂを別途用意し、そのメモリ１４ｂから、変更されたガンマ値に対応するガンマデータを読み出し、全階調又は一部の階調のガンマカーブを送信するようにしてもよい。【００６６】
例えば、ユーザが入力手段２４を介してガンマ値を２．２から２．１に変更入力したとする。表示特性検出部１４はこの変更を検出すると、表示特性検出部１４から画像変換部１５に、「ガンマ値＝２．１」のデータを送る。このとき、単にガンマ値だけを送るのでもよいし、それまでのガンマ値との差分値（この場合は「２．１−２．２＝−０．１」即ち、「ガンマ値変更差分＝−０．１」のデータ）を送るようにしてもよい。【００６７】
或いは、予めガンマ特性データが記憶したメモリ１４ｂから、対応するガンマ値における全階調のガンマデータ（図６の図表参照：この図表内の値は画像表示部１３Ａの各階調のガンマカーブを示す）を送るのでもよいし、ガンマ値に基づいて反転画像を生成するための秘密画像信号値−反転画像信号値変換テーブルデータ（図７の図表参照：この図表内の値は秘密画像の各階調値に対する反転画像の階調値を示す）を送るのでもよい。【００６８】
この三番目と四番目の上記方法では、各階調の変換テーブルデータを送るようにしたことから、送信するデータ量が多くなるほかテーブルを保存するためのメモリが別途必要になるが、ガンマ特性が厳密に「２．２乗則」や「２．１乗則」に従わないような画像表示部１３Ａであっても、秘密画像の画像表示に際してはこれを正確にキャンセルできる反転画像を生成することができるという利点がある。【００６９】
また、必ずしも全階調のガンマデータ，或いは変換テーブルを送る必要はなく、例えば８ビット＝２５６階調の場合、３２階調ごと計９個のデータを送るのでもよいし、更には、等間隔でなく、特にカーブがきつい階調付近を多く、カーブが平坦な階調付近は少なく、という送り方でもよい。この場合は、飛び飛びに送られる変換ポイント以外の階調の変換テーブルは画像変換部１５で補完される。このようにすれば、送信データを少なくすることができ、処理の迅速化が可能となる。
このように、ユーザによって表示特性が変えられても、それに合わせて反転画像を有効に生成することができるので、光シャッタなしでは秘密画像を見ることはできない。【００７０】
〈表示特性の検出（４）〉
本実施形態における画像表示部１３Ａの表示特性を検出する場合の他の例を、図８乃至図１１に示す。何れも、輝度センサ２６，２６Ａ，２６Ｂ又は２６Ｃを装備して画像表示部１３Ａの表示特性にかかる輝度情報を検出し、これを前述した表示特性検出部１４へ送り込むように構成した（ステップＳ１０２：画像変換工程）。【００７１】
（図８による場合）
この場合、表示特性検出部１４には、画像表示部１３Ａに表示される画像の明るさを検出する輝度センサ２６が併設されており、周囲温度や光源の経時変化などにより画像の表示特性が変化したことをリアルタイムに検出することができる。この図８において、その他の構成は前述した図１又は図５の場合と同様となっている。【００７２】
これに対し、輝度センサを用いたより具体的な他の構成の一例としては、例えば図９や図１０に示すように、表示部本体１３がＤＬＰ(Digital Light Processing)プロジェクタや液晶プロジェクタであり、画像を投影する投影部１８の付近もしくはスクリーン１３Ｂ付近に、輝度センサ２６Ａ又は２６Ｂが設けられて構成されたものがある。この輝度センサ２６Ａ又は２６Ｂについては、画像の相対的な輝度がわかるものであればどのようなものでもよい。例えばフォトダイオードや、ＣＣＤカメラなどを用いてもよい。【００７３】
（図９による場合）
この図９の場合は、画像表示部１３Ａを、前記合成部１２からの多重化画像を表示するスクリーン１３Ｂと、このスクリーン１３Ｂに前記多重化画像を投影する画像投影部１８とを含む構成とする。又、前述した表示特性検出部１４に、前記スクリーン１３Ｂの一部に設けられたテスト画像表示部１３Ｂａに投影されるテスト画像の投影タイミングに同期して輝度を検出する輝度センサ２６Ａを併設する。
更に、上記表示特性検出部１４については、前記輝度センサ２６Ａで検出される前記テスト画像の輝度に基づいて当該スクリーン１３Ｂの表示特性を検出し特定する機能を備えた構成とした。この図９において、符号１４ｃは輝度センサ２６Ａで検出される前記テスト画像の輝度情報を記憶するメモリを示す。この図９にあって、その他の構成は前述した図１又は図５の場合と同様となっている。【００７４】
図９に示す内容の動作、即ち、画像表示部１３Ａの表示特性検出にかかる具体例の動作としては、例えば一定時間毎に、表示画像の端（右上、右下、左上、左下）などの、視聴者が画像を見るのに支障をきたさない部分の数ピクセル角のテスト画像表示部１３Ｂａに１〜数フレーム間、ある一定の明るさの画像〔テスト画像表示部１３Ｂａ内は全て同じ画像信号値で、例えば（R,G,B)＝（127,127,127 ）の灰色べた画像〕を表示し、それに同期して輝度センサ２６Ａでテスト画像表示部１３Ｂａに表示された画像の輝度を測定する。【００７５】
このとき、或る１種類の明るさだけを測定するのではなく、何種類かの明るさ、「例えば、 (R,G,B)＝(0,0,0）、 (R,G,B)＝(63,63,63)、 (R,G,B)＝(127,127,127) 、 (R,G,B)＝(255,255,255) の４種類」を或る時間ごとに測定したり、R,G,B 毎に分けて測定したりすると、画像表示部１３Ａのより正確な表示特性を得ることができる。【００７６】
（図１０による場合）
この図１０の場合は、画像表示部１３Ａを、前記合成部１２からの多重化画像を表示するスクリーン１３Ｂと、このスクリーン１３Ｂに前記多重化画像を投影する画像投影部１８とを含む構成とする。又、前述した表示特性検出部１４に、前記スクリーン１３Ｂの全面に投影されるテスト画像テスト画像の投影タイミングに同期して輝度を検出する輝度センサ２６Ｂを併設する。【００７７】
更に、上記表示特性検出部１４については、前記輝度センサ２６Ｂで検出される前記テスト画像の輝度に基づいて前記スクリーン１３Ｂの表示特性を検出し特定する機能を備えた構成とした。符号１４ｄは輝度センサ２６Ｂで検出される前記テスト画像の輝度情報を記憶するメモリを示す。この図１０にあって、その他の構成は前述した図１又は図５の場合と同様となっている。【００７８】
図１０の動作としては、数フレーム〜数１０フレームに１回、テスト画像が全面に表示されるようにする。更に、テスト画像を表示するときは、光シャッタ１６はオフ（ＯＦＦ）となるように制御する。光シャッタ１６を通して画像表示部１３Ａを見ると、テスト画像を意識することなく秘密画像を閲覧することができる。光シャッタ１６を通さずに表示部１３Ａを見ると、テスト画像が表示されたときに一瞬グレーのべた画像〔(R,G,B)=(127,127,127) 〕以外の輝度の画像が表示されることを知覚するが、秘密画像が見えるわけではないので秘密画像の秘匿性は変わらず維持される。【００７９】
（図９乃至図１０におけるテスト画像の表示方法）
図９、図１０におけるテスト画像の駆動表示方法としては、例えば図１１に示すように、二枚のテスト画像(R,G,B)=(0,0,0), (R,G,B)=(255,255,255)を連続して表示してもよい。この場合、光シャッタ１６を通さずに画像表示部１３Ａを見ると、秘密画像Ａ１と反転画像Ａ２のキャンセル効果によって、もともと(R,G,B)=(127,127,127) のべた画像を閲覧していたので、前記二枚のテスト画像は時間的に積分され、(R,G,B)=(127,127,127) が表示されたように見えるので、光シャッタを通さずに表示部（スクリーン１３Ｂ）を見る人も前記輝度測定が行われていることを全く意識することなく、表示特性を測定することができる。【００８０】
ここで、二枚のテスト画像は上記に限らず、(R,G,B)=(63,63,63), (R,G,B)=(191,191,191) でもよいし、(R,G,B)=(0,255,0), (R,G,B)=(255,0,255)でもよい。
ただし、前述したように、信号値と輝度は非線形の関係にあるため、例えば(R,G,B)=(63,63,63), (R,G,B)=(191,191,191) を二枚，時間的に表示しても、この二枚を時間的に積分しても正確には(R,G,B)=(127,127,127) が表示されたようには見えないが、一瞬のできごとで且つ(R,G,B)=(127,127,127) と、それほど輝度の大きく異なる画像が表示されるわけではないので、光シャッタ１６を通さずに表示部（スクリーン１３Ｂ）を見ても、画像のちらつきはそれほど気にはならない。【００８１】
更に、既に測定した表示特性のデータを利用して、二枚のテスト画像を時間的に表示したときに、輝度が(R,G,B)=(127,127,127) となるように、二枚のテスト画像の画像信号値を設定してもよい。
例えば、前回測定時の表示特性が、予め(R,G,B)=(63,63,63)と(R,G,B)=(247,247,247)を時間的に表示すると(R,G,B)=(127,127,127) と同じ輝度になるような特性であることがわかっているならば、(R,G,B)=(63,63,63), (R,G,B)=(191,191,191) の代わりに、(R,G,B)=(63,63,63), (R,G,B)=(247,247,247) を時間的に表示してもよい。【００８２】
前回の測定データを参照するため、前回測定時と表示特性が異なることもあり、正確に(R,G,B)=(127,127,127) となるとは限らないが、測定間隔が短ければそれほど誤差は大きくなることはない。即ち、測定の瞬間にちらつきが知覚されることはない。
この方法であれば、前述のように、光シャッタ１６を通さずに画像表示部１３Ａを見る人が一瞬だけ(R,G,B)=(127,127,127) と異なる輝度の画像が知覚される現象を防ぐことができる。【００８３】
〈表示特性の検出（５）〉
本実施形態における画像表示部１３Ａの表示特性を検出する場合の更に他の例を、図１２乃至図１３に示す。何れも輝度センサ２６Ｃを装備して画像表示部１３Ａの表示特性にかかる輝度情報を検出し、これを前述した表示特性検出部１４へ送り込むように構成した（ステップＳ１０２：画像変換工程）。【００８４】
（図１２による場合）
まず、画像表示部１３Ａは、液晶パネル又はプラズマディスプレイパネル等のフラットパネルで構成する。同時に、テスト画像表示部１３Ａａを、前記画像表示部１３Ａの一部であって且つ画像表示領域の一方の側から視聴者の見えない領域に延設され設ける。同時に、このテスト画像表示部１３Ａａに対応して輝度測定用の輝度センサ２６Ｃが装備されている。そして、前述した表示特性検出部１４は、前記輝度センサ２６Ｃで検出される前記テスト画像の輝度に基づいて前記当該画像表示部１３Ａの表示特性を検出し特定する機能を備えている。この図１２にあって、その他の構成は前述した図１又は図５の場合と同様となっている。【００８５】
この図１２の場合、或いは、別の具体例としては、画像表示部１３ＡとしてはＬＣＤ(Liquid Crystal Display)或いはＰＤＰ(Plasma Display Panel)で構成することも考えられる。【００８６】
この場合の具体例としては、上述したように視聴者から見えない部分（ベゼル内等) にテスト画像表示部１３Ａａを設けておき、秘密画像Ａ１や反転画像Ａ２を表示する表示部１３Ａとは別の機構でこのテスト画像表示部１３Ａａにテスト画像を表示し、輝度センサ２６Ｃにより輝度を測定する方法としてもよい。測定の頻度としては、フレームに同期してもよいし、数〔ｍｓｅｃ〕毎でもよいし、或いはユーザによる表示特性の変更操作があった時のみでもよい。
この上記構成の場合は、前述した図９或いは図１０に示した構成とは異なり、視聴者が見る画面内にテスト画像を表示するわけではないので、どのようなテスト画像を表示しても視聴に支障をきたすことはない。【００８７】
（図１３による場合）
この図１３の場合、画像表示部１３Ａの少なくとも一部に当該画像表示部１３Ａの表示特性を特定するためのテスト画像を表示するテスト画像表示領域を設けると共に、このテスト画像表示領域に対応して輝度測定用の輝度センサ２６Ｃを装備する。又、前述した表示特性検出部１４は、前記輝度センサ２６Ｃで検出される前記テスト画像の輝度に基づいて当該画像表示部１３Ａの表示特性を検出し特定する機能を備えている。この図１３にあって、その他の構成は前述した図１又は図５の場合と同様となっている。【００８８】
ここで、上記輝度センサ２６Ｃとしては、図１３に示すように表示装置の端にフォトダイオードなどの微小な輝度センサで構成してもよい。この場合は図１２の例とは異なり、視聴者が見る画面内を用いて表示特性を測定するため、図９或いは図１０の説明で述べたように、視聴者に不都合がないように画像の表示方法を工夫する必要がある。【００８９】
〈表示特性の検出（６）〉
本実施形態における画像表示部１３Ａの表示特性を検出する場合の、更に他の例について説明する。この場合は、スクリーン１３Ｂに対し画像を投影する画像投影部の光源温度を測定し、又は画像表示部１３Ａを液晶（ＬＣＤ）パネルで構成すると共に当該液晶パネル又は画像表示用のバックライトの内の少なくとも何れか一方の温度を測定し、これらを表示特性の特性情報（画像変換用の）として前述した表示特性検出部１４に送り込むように構成したものである（ステップＳ１０２：画像変換工程）。【００９０】
（図１０の変形例の場合）
前述した図１０の具体例では、輝度センサ２６Ｃを用いてスクリーン１３Ｂの輝度を測定し、これに基づいて表示特性を検出する場合を例示した。これに対し、ここでは、スクリーン１３Ｂに対し画像を投影する画像投影部の光源温度を測定し、この温度情報に対応した特性情報の変化から当該スクリーン１３Ｂの表示特性を特定しようとするものである。即ち、前述した画像表示部１３Ａを、前記合成部１２からの多重化画像を表示するスクリーン１３Ｂと、このスクリーン１３Ｂに前記多重化画像を投影する画像投影部１８とを含む構成とする。【００９１】
そして、前述した表示特性検出部１４は、画像投影部１８の光源に併設され当該光源の温度を測定する温度センサ２６Ｂからの温度情報に対応して予め装備したメモリ１４ｃに記憶されている前記検出温度に対応した温度−輝度変換テーブルを表示特性にかかる特性情報として前記画像変換部１５に送信する機能を備えている。そして、前述した画像変換部１５は、この温度−輝度変換テーブルの値により特定される表示特性に基づいて前記第２の画像Ａ２を生成するようになっている。その他の構成は前述した図１又は図５の場合と同様となっている。【００９２】
（図１４による場合）
この図１４において、前述した画像表示部１３Ａは液晶（ＬＣＤ）パネルで構成されている。又、表示特性検出部１４は、前記画像表示部１３Ａの前記液晶パネル１３Ａ又は画像表示用のバックライト１３Ｄの内の少なくとも何れか一方の温度を測定するための温度センサ２７が装備されている。この図１４の具体例ではＬＣＤパネル１３Ａの温度又はそのバックライト１３Ｄの温度が切換え測定される構成となっている。【００９３】
そして、表示特性検出部１４は、前述した温度センサ２７からの検出温度を入力すると共に予め記憶されている前記検出温度に対応した温度−輝度変換テーブルを表示特性にかかる特性情報として前記画像変換部１５に送信する機能を有する。この場合、検出温度に対応した温度−輝度変換テーブルは予め測定されたデータとして表示特性検出部１４に併設されたメモリ１４Ａに記憶されている。前述した温度−輝度変換テーブルは、実際には画像表示装置全体の製造時に予め測定し記憶されている。【００９４】
表示特性検出部１４は、温度センサ２７により測定された温度と、メモリ１４Ａに記憶されている温度−輝度変換テーブルに組み込まれたテーブルデータを参照して表示特性を特定し、前述した画像変換部１５に表示特性を通知する。テーブルデータには温度−輝度変換テーブルのほかにガンマ値−輝度テーブルデータも格納しておけば、温度変化に加えてユーザによるガンマ値変更にも対応することができる。
そして、前述した画像変換部１５は、この温度−輝度変換テーブルの値により特定される表示特性に基づいて前記第２の画像Ａ２を生成するようになっている。その他の構成は前述した図１又は図５の場合と同様となっている。【００９５】
このように、図１〜図５、図８〜図１０、図１２〜図１４などの実施内容を用いることにより、画像表示装置のガンマ特性や色温度などの表示特性が変更されても、表示特性検出部１４によってその変更を検出し、それに基づいて反転画像を生成することができるため、画像表示部１３Ａの表示特性が変更されても、光シャッタ１６を通さずに画像表示部１３Ａを見ても常に第一の画像Ａ１を見ることはできず、第一の画像Ａ１の秘匿性を確実に維持することができる。【００９６】
ここで、上述した実施形態にあって、画像表示装置における画像表示方法の実行に際しては、複数の実行工程を開示したが、これの各工程の実行内容をプログラム化し、コンピュータに実行させるように構成してもよい。
このようにすると、各工程での実行内容をより迅速に且つ高精度に処理し得るという利点がある。【００９７】
以上、本発明を実施形態として上記具体例に即して説明したが、本発明は、上記実施形態に限定されるものではなく、上記各請求項の発明の範囲内で当業者であればなし得るであろう各種変形、修正を含むことは勿論である。【００９８】
本発明の他の実施形態に係る画像表示装置は、入力される第一の画像を特定のユーザにのみ表示する機能をもつ画像表示装置であって、
前記第一の画像と、前記第一の画像と別の第二の画像とを時間的に多重化する画像合成部と、
前記時間多重化された画像を表示する画像表示部と、
前記画像表示部の表示特性を検出する表示特性検出部と、
前記検出された表示特性に基づいて、前記第一の画像を前記第二の画像に変換する画像変換部と、
前記画像合成部からの信号を受けて、前記画像表示部に前記第一の画像が表示されている際に光を透過する光シャッタとを有することを特徴とする。【００９９】
前記画像表示装置において、
前記画像変換部は、前記画像表示部の表示特性に基づいて成される前記第二の画像の生成に際しては、前記第一の画像に対応する画素の輝度値を相互に加算したときに、その加算結果が全体的に前記第一の画像とは相関のない他の画像になるように、前記第二の画像を生成する構成としてもよい。【０１００】
前記画像表示装置において、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換部は、前記表示特性検出部で得られた表示特性に基づいて、前記第二の画像の各画素値Ａ’を、
Ａ’＝（１−Ａ（γ））（１／γ）
により算出する構成としてもよい。【０１０１】
前記画像表示装置において、
前記光シャッタは、前記第二の画像が前記画像表示部に表示されているときにはその表示動作に同期して光を遮断するように機能する構成としてもよい。【０１０２】
前記画像表示装置において、
前記合成部の入力側に、外部から入力される他の画像である第三の画像を記憶するメモリを装備し、
前記合成部は前記第一乃至第三の各画像を時間的に多重化し表示用として前記前記画像表示部に出力すると共に、当該画像表示部に前記第一の画像が表示されている時にはこれに対応して光を透過するように機能する光シャッタを、前記合成部に併設した構成としてもよい。【０１０３】
前記画像表示装置において、
前記光シャッタは、前記第２及び第３の画像が前記画像表示部に表示されているときにはその表示動作に同期して光を遮断するように機能する構成としてもよい。【０１０４】
前記画像表示装置において、
前記画像表示部に、当該画像表示部の表示特性を外部から設定し又は変更する入力手段を併設すると共に、前記表示特性検出部は前記画像表示部に外部入力される画像表示特性を前記画像変換部用として取り込む機能を備えた構成としてもよい。【０１０５】
前記画像表示装置において、
前記画像表示部の表示特性を特定するための特性情報を入力する入力手段を設け、
前記表示特性検出部は、前記入力手段からの前記特性情報を取得すると共にこれに基づいて予め算定された変換テーブルデータを別に装備したメモリに記憶する機能と、このメモリに記憶した変換テーブルデータを前記画像変換部に送信する機能とを有し、
前記画像変換部は、この変換テーブルデータに基づいて前記第二の画像を生成する構成としてもよい。【０１０６】
前記画像表示装置において、
前記画像表示部の表示特性を特定するガンマ値等の特性情報を当該画像表示部に入力する入力手段を設け、
前記表示特性検出部は、前記画像表示部の表示特性に対応するガンマ値及びその特性データを記憶したメモリを予め装備すると共に、前記入力手段から前記ガンマ値等が入力された場合には、直ちに当該ガンマ値およびこれに対応するガンマテーブルを前記メモリから取り出して前記前記画像変換部へ出力するガンマテーブル出力機能を備え、
前記画像変換部は、前記表示特性検出部から送り込まれる前記ガンマ値およびこれに対応するガンマテーブルの値を表示特性としこれに基づいて前記第二の画像を生成する構成としてもよい。【０１０７】
前記画像表示装置において、
前記画像表示部の少なくとも一部に当該画像表示部の表示特性を特定するためのテスト画像を表示するテスト画像表示領域を設けると共に、このテスト画像表示領域に対応して輝度測定用の輝度センサを装備し、
前記表示特性検出部は、前記輝度センサで検出される前記テスト画像の輝度に基づいて前記当該画像表示部の表示特性を検出し特定する機能を備えた構成としてもよい。【０１０８】
前記画像表示装置において、
前記画像表示部は液晶パネル又はプラズマディスプレイパネル等のフラットパネルで構成すると共に、前記テスト画像表示領域を、前記表示部に一部であって且つ前記画像情報表示領域の一方の側から延設され視聴者から見えない部分に配設した構成としてもよい。【０１０９】
前記画像表示装置において、
前記画像表示部を、前記合成部からの多重化画像を表示するスクリーンと、このスクリーンに前記多重化画像を投影する画像投影部とを含む構成とすると共に、
前記表示特性検出部に、前記スクリーンの一部又は全部に投影されるテスト画像の投影タイミングに同期して輝度を検出する輝度センサを併設すると共に、
前記表示特性検出部は、前記輝度センサで検出される前記テスト画像の輝度に基づいて前記画像表示部の表示特性を検出し特定する構成としてもよい。【０１１０】
前記画像表示装置において、
前記光シャッタは、前記合成部に制御されて作動し前記テスト画像が表示されるのに同期して光を遮断する機能を備えると共に、
前記輝度センサは、前記表示特性検出部に制御されて作動し前記テスト画像が表示されるのに同期してテスト画像の輝度を取得する機能を備えた構成としてもよい。【０１１１】
前記画像表示装置において、
前記合成部は、前記テスト画像を人間の目に知覚されない短い時間の間に少なくとも二枚表示する機能を有し、
この二枚のテスト画像は、対応する各画像の輝度を相互に加算したときに、前記画像表示部が表示可能な最大輝度値と等しくなるように設定した構成としてもよい。【０１１２】
前記画像表示装置において、
前記画像表示部を、前記合成部からの多重化画像を表示するスクリーンと、このスクリーンに前記多重化画像を投影する画像投影部とを含む構成とすると共に、
前記表示特性検出部は、前記画像投影部の光源に併設され当該光源の温度を測定する温度センサからの温度情報に対応して予め記憶されている前記検出温度に対応した温度−輝度変換テーブルを表示特性にかかる特性情報として前記画像変換部に送信する機能を有し、
前記画像変換部は、前記温度−輝度変換テーブルの値により特定される表示特性に基づいて前記第二の画像を生成する構成としてもよい。【０１１３】
前記画像表示装置において、
前記画像表示部を液晶パネルで構成すると共に、
前記表示特性検出部は、前記画像表示部の前記液晶パネル又は画像表示用のバックライトの内の少なくとも何れか一方の温度を測定するための温度センサからの検出温度を入力すると共に予め記憶されている前記検出温度に対応した温度−輝度変換テーブルを表示特性にかかる特性情報として前記画像変換部に送信する機能を有し、
前記画像変換部は、前記温度−輝度変換テーブルの値により特定される表示特性に基づいて前記第二の画像を生成する構成としてもよい。【０１１４】
本発明の他の実施形態に係る画像表示方法は、入力される第一の画像を特定のユーザにのみ表示する画像表示方法であって、
前記第一の画像と、前記第一の画像と別の第二の画像とを時間的に多重化する画像合成行程と、
前記時間多重化した画像を表示する画像表示行程と、
前記画像表示部の表示特性を検出する表示特性検出行程と、
前記検出された表示特性に基づいて、前記第一の画像を前記第二の画像に変換する画像変換行程と、
前記画像合成部からの信号を受けて、前記画像表示部に前記第一の画像が表示されている際に光を透過する光シャッタ稼働行程とを有することを特徴とする。【０１１５】
前記画像表示方法において、
前記画像変換工程では、前記画像表示部の表示特性に基づいて成される前記第二の画像の生成に際しては、前記第一の画像に対応する画素の輝度値を相互に加算したときに、その加算結果が全体的に前記第一の画像とは相関のない他の画像になるように、前記第二の画像を生成する構成としてもよい。【０１１６】
前記画像表示方法において、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換工程では、前記表示特性検出部で得られる前記画像表示部の表示特性に基づいて前記第二の画像の各画素値Ａ’を、
Ａ’＝（１−Ａ（γ））（１−γ）
により算出する構成としてもよい。【０１１７】
前記画像表示方法において、
前記画像合成工程では、前記第一の画像に対して所定の変換を施すことにより得られる第二の画像を前記第一の画像に時間的に多重化するに際し、これに合わせて外部入力される画像である第三の画像を時間的に多重化するように構成としてもよい。【０１１８】
前記画像表示方法において、
前記画像変換工程では、前記画像表示部用として外部から入力される表示特性を前記第二の画像生成時に必要とする表示特性として取り込む構成としてもよい。【０１１９】
前記画像表示方法において、
前記画像変換工程では、外部入力される前記画像表示部の表示特性を特定するための特性情報を取り込む特性情報取得工程と、この特性情報に対応する変換テーブルデータを予め別に準備され格納されたメモリから抽出し且つ前記第二の画像生成時に必要とする表示特性として取り込む変換テーブルデータ抽出工程とを備えた構成としてもよい。【０１２０】
前記画像表示方法において、
前記画像変換工程では、前記画像表示部の表示特性を特定するガンマ値等の特性情報を外部入力する特性情報入力工程と、このガンマ値等の特性情報に対応したガンマテーブル値を予め格納されたメモリから抽出し前記第二の画像生成時に必要とする表示特性として取り込む表示特性取り込み工程とを備えた構成としてもよい。【０１２１】
前記画像表示方法において、
前記画像変換工程では、前記画像表示部の一部に表示されるテスト画像から輝度センサを介して各画素の輝度を検出する輝度検出工程と、この検出された輝度に基づいて前記当該画像表示部の表示特性を検出し特定する表示特性特定工程とを含む構成としてもよい。【０１２２】
前記画像表示方法において、
前記画像変換工程では、多重化画像表示用のスクリーンの一部又は全部に投影されるテスト画像の輝度をその投影のタイミングに同期して検出する工程と、この検出された前記テスト画像の輝度に基づいて前記当該画像表示部の表示特性を特定する工程とを含む構成としてよい。【０１２３】
前記画像表示方法において、
前記画像表示工程では、前記画像合成工程で時間多重化された画像を画像投影部によってスクリーンへ表示する工程を備え、
前記画像変換工程では、前記画像投影部の光源に併設された温度センサからの光源温度情報を取り込む光源温度取込み工程と、この光源温度の変化に対応して予め演算されメモリに記憶された前記検出温度に対応した温度−輝度変換テーブルを前記メモリから抽出しこれに基づいて表示特性を特定する工程とを含むように構成としてもよい。【０１２４】
前記画像表示方法において、
前記画像変換工程では、前記画像表示部が液晶パネルで構成されている場合で、前記液晶パネル又は画像表示用のバックライトの内の少なくとも何れか一方の温度を測定するために装備された温度センサからの検出温度を取り込む工程と、この温度センサからの検出温度に対応して予め装備されたメモリに記憶されている温度−輝度変換テーブルを表示特性として抽出する工程とを備えた構成としてもよい。【０１２５】
本発明の他の実施形態に係る画像表示プログラムは、入力される第一の画像を特定のユーザにのみ表示する制御を行う画像表示プログラムであって、
コンピュータに、
前記第一の画像と、前記第一の画像と別の第二の画像とを時間的に多重化する画像合成機能と、
前記時間多重化された画像を表示する画像表示機能と、
前記画像表示部の表示特性を検出する表示特性検出機能と、
前記検出された表示特性に基づいて、前記第一の画像を前記第二の画像に変換する画像変換機能と、
前記画像合成部からの信号を受けて、前記画像表示部に前記第一の画像が表示されている際に光を透過する光シャッタ稼働機能とを実行させることを特徴とする。【０１２６】
前記画像表示プログラムにおいて、
前記画像変換処理機能では、前記画像表示部の表示特性に基づいて成される前記第二の画像の生成に際しては、前記第二の画像に対応する画素の輝度値を相互に加算したときに、その加算結果が全体的に前記第一の画像とは相関のない他の画像になるように、前記第二の画像を生成する構成としてもよい。【０１２７】
前記画像表示プログラムにおいて、
前記画像表示部に表示される各画素の輝度が、
Ｉ＝Ｌ×Ａ（γ）
で表されるとき（ここで、Ｉは画像表示部に表示される画像の輝度、Ｌは画像表示部が表示可能な最大輝度、Ａは画素の信号値、γは前記画像表示部の表示特性にかかるガンマ値とする）、
前記画像変換処理機能では、前記表示特性検出部で得られる前記画像表示部の表示特性に基づいて前記第二の画像の各画素値Ａ’を、
Ａ’＝（１−Ａ（γ））（１−γ）
により算出する構成としてもよい。【０１２８】
前記画像表示プログラムにおいて、
前記画像合成処理機能では、前記第一の画像に対して所定の変換を施すことにより得られる第二の画像を時間的に多重化するに際し、これに合わせて外部入力される画像である第三の画像を時間的に多重化するように構成したことを特徴とする画像表示プログラム。【０１２９】
前記画像表示プログラムにおいて、
前記画像変換処理機能では、前記画像表示部用として外部から入力される表示特性を前記第二の画像生成時に必要とする表示特性として取り込む構成としてもよい。【０１３０】
前記画像表示プログラムにおいて、
前記画像変換処理機能では、外部入力される前記画像表示部の表示特性を特定するための特性情報を取り込む特性情報取得処理と、この取得された特性情報に対応する変換テーブルデータを予め準備されたメモリから抽出し且つ前記第二の画像生成時に必要とする表示特性として取り込む変換テーブルデータ抽出処理とを含む構成としてもよい。【０１３１】
前記画像表示プログラムにおいて、
前記画像変換処理機能では、前記画像表示部の表示特性を特定するガンマ値等の特性情報を外部入力する特性情報入力処理と、このガンマ値等の特性情報に対応したガンマテーブル値を予め格納されたメモリから抽出し前記第二の画像生成時に必要とする表示特性として取り込む表示特性取り込み処理とを備えた構成としてもよい。【０１３２】
前記画像表示プログラムにおいて、
前記画像変換処理機能では、前記画像表示部の一部に表示されるテスト画像から輝度センサを介して各画素の輝度を検出する輝度検出処理と、この検出された輝度に基づいて前記当該画像表示部の表示特性を検出し特定する表示特性特定処理とを含む構成としてもよい。【０１３３】
前記画像表示プログラムにおいて、
前記画像変換処理機能では、多重化画像表示用のスクリーンの一部又は全部に投影されるテスト画像の輝度をその投影のタイミングに同期して検出する処理と、この検出された前記テスト画像の輝度に基づいて前記当該画像表示部の表示特性を特定する処理とを含む構成としてもよい。【０１３４】
前記画像表示プログラムにおいて、
前記画像表示処理機能では、前記画像合成処理機能で時間多重化された画像を画像投影部を駆動制御してスクリーン表示する処理を備え、
前記画像変換処理機能では、前記画像投影部の光源に併設された温度センサからの光源温度情報を取り込む光源温度取込み処理と、この光源温度の変化に対応して予め演算されメモリに記憶された前記検出温度に対応した温度−輝度変換テーブルを前記メモリから抽出しこれに基づいて表示特性を特定する処理とを含むように構成としてもよい。【０１３５】
前記画像表示プログラムにおいて、
前記画像変換処理機能では、前記画像表示部が液晶パネルで構成されている場合で、前記液晶パネル又は画像表示用のバックライトの内の少なくとも何れか一方の温度を測定するために装備された温度センサからの検出温度を取り込む処理と、この温度センサからの検出温度に対応して予め装備されたメモリに記憶されている温度−輝度変換テーブルを表示特性として抽出する処理とを備えた構成としてもよい。なお、本発明の実施形態において、画像表示装置をソフトウェアのプログラムとして構築した場合、そのプログラムは、記録媒体に記録されて商取引の対象となる。【０１３６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【０１３７】
この出願は２００７年６月13日に出願された日本出願特願２００７−１５６２２６を基礎とする優先権を主張し、その開示の全てをここに取り込む。
【産業上の利用可能性】
【０１３８】
周囲環境の変化に対しても、第一の画像（秘密画像）Ａ１の秘匿性を確実に維持することができるので、情報収集の多様化に有効に対応することができる。
【図面の簡単な説明】
【０１３９】
【図１】本発明の一実施形態を示す構成図である。
【図２】図１に開示した実施形態の動作を示すフローチャートである。
【図３】図１に開示した実施形態の変形例を示す構成図である。
【図４】図１に開示した実施形態の応用例で第三の画像を時間加重で表示する場合に例を示す構成図である。
【図５】図１に開示した実施形態で画像表示部の表示特性を変える場合の構成例を示す説明図である。
【図６】図５における表示特性検出部のメモリに格納されたガンマ変換テーブルの一例を示す図表である。
【図７】図５における表示特性検出部のメモリに格納された秘密画像信号値−反転画像信号値変換テーブルの一例を示す図表である。
【図８】図１に開示した実施形態における画像表示部の表示特性を実際の画像表示部からリアルタイムで測定する場合の例を示す具体的な構成図である。
【図９】図８の変形例（画像表示部をスクリーンで構成した場合）を示す構成図である。
【図１０】図８の更に他の変形例（画像表示部をスクリーンで構成した場合）を示す構成図である。
【図１１】図１０におけるテスト画像の表示順番の例を示す説明図である。
【図１２】図８における表示特性の検出を他の手法で実行する場合の具体例例を示す構成図である。
【図１３】図８における表示特性の検出を更に他の異なった手法で実行する場合の具体例を示す構成図である。
【図１４】図８における表示特性の検出を温度センサを用いて実行する場合の具体例を示す構成図である。
【図１５】図１４における表示特性の検出時に使用されるデータ変換テーブルの例を示す図表である。
【図１６】本発明の関連技術の例を示す説明図である。
【符号の説明】
【０１４０】
１１  フレームメモリ（画像メモリ）
１２  合成部（画像合成部）
１３  表示装置本体
１３Ａ  画像表示部
１３Ａａ  テスト画像表示部
１４  表示特性検出部
１４Ａ  変換テーブル（温度−輝度変換テーブル）
１４ａ，１４ｂ，１４ｃ，１４ｄ  メモリ
１５  画像変換部
１６  光シャッタ
１７  フレームメモリ（公衆画像記憶用）
１８  投影部
２６，２６Ａ，１６Ｂ，２６Ｃ  輝度センサ
２７  温度センサ
【図１】
2008152932.tif 000003
【図２】
2008152932.tif 000004
【図３】
2008152932.tif 000005
【図４】
2008152932.tif 000006
【図５】
2008152932.tif 000007
【図６】
2008152932.tif 000008
【図７】
2008152932.tif 000009
【図８】
2008152932.tif 000010
【図９】
2008152932.tif 000011
【図１０】
2008152932.tif 000012
【図１１】
2008152932.tif 000013
【図１２】
2008152932.tif 000014
【図１３】
2008152932.tif 000015
【図１４】
2008152932.tif 000016
【図１５】
2008152932.tif 000017
【図１６】
2008152932.tif 000018
【国際調査報告】
2008152932.tif 000019
2008152932.tif 000020
2008152932.tif 000021
2008152932.tif 000022